(57)【特許請求の範囲】
【請求項１】
所定周期のＣＳＩ−ＲＳサブフレームで送信されるＣＳＩ−ＲＳ（Channel  State  Information−Reference  Signal）及び少なくとも一つのページングサブフレームで送信されるページングを受信するユーザ端末であって、
前記ページングサブフレームのうちどのサブフレームで前記ページングが送信されるかを示すシステム情報を受信する受信手段と、前記ＣＳＩ−ＲＳサブフレームと前記ページングサブフレームのタイミングが合った場合において、前記システム情報に基づいて、ＣＳＩ−ＲＳを測定するＣＳＩ−ＲＳサブフレームを決定するサブフレーム決定手段と、
を具備することを特徴とするユーザ端末。
【請求項２】
前記サブフレーム決定手段は、前記ページングサブフレームのうち前記ページングが送信されないサブフレームを、ＣＳＩ−ＲＳを測定するＣＳＩ−ＲＳサブフレームと決定することを特徴とする請求項１記載のユーザ端末。
【請求項３】
前記サブフレーム決定手段は、前記ページングサブフレームのうち前記ページングが送信されるサブフレームを、ＣＳＩ−ＲＳを測定するＣＳＩ−ＲＳサブフレームとしない決定をすることを特徴とする請求項１又は請求項２記載のユーザ端末。
【請求項４】
前記ページングは、前記システム情報の変更を示す変更通知情報を含むことを特徴とする請求項１から請求項３のいずれかに記載のユーザ端末。
【請求項５】
所定周期のＣＳＩ−ＲＳサブフレームで送信されるＣＳＩ−ＲＳ（Channel  State  Information−Reference  Signal）及び少なくとも一つのページングサブフレームで送信されるページングを受信するユーザ端末における無線通信方法であって、
前記ページングサブフレームのうちどのサブフレームで前記ページングが送信されるかを示すシステム情報を受信する工程と、
前記ＣＳＩ−ＲＳサブフレームと前記ページングサブフレームのタイミングが合った場合に、前記システム情報に基づいて、ＣＳＩ−ＲＳを測定するＣＳＩ−ＲＳサブフレームを決定する工程と、
を具備することを特徴とする無線通信方法。
【請求項６】
前記決定する工程において、前記ページングサブフレームのうち前記ページングが送信されないサブフレームを、ＣＳＩ−ＲＳを測定するＣＳＩ−ＲＳサブフレームと決定することを特徴とする請求項５記載の無線通信方法。
【請求項７】
前記決定する工程において、前記ページング用のサブフレームのうち前記ページングが送信されるサブフレームを、ＣＳＩ−ＲＳを測定するＣＳＩ−ＲＳサブフレームとしない決定をすることを特徴とする請求項５又は請求項６記載の無線通信方法。
【請求項８】
前記ページングは、前記システム情報の変更を示す変更通知情報を含むことを特徴とする請求項５から請求項７のいずれかに記載の無線通信方法。
【請求項９】
ユーザ端末が、所定周期のＣＳＩ−ＲＳサブフレームで送信されるＣＳＩ−ＲＳ（Channel  State  Information−Reference  Signal）及び少なくとも一つのページングサブフレームで送信されるページングを受信する無線通信システムであって、
前記ページングサブフレームのうちどのサブフレームで前記ページングが送信されるかを示すシステム情報を受信する受信手段と、
前記ＣＳＩ−ＲＳサブフレームと前記ページングサブフレームのタイミングが合った場合において、前記システム情報に基づいて、ＣＳＩ−ＲＳを測定するＣＳＩ−ＲＳサブフレームを決定するサブフレーム決定手段と、
を具備することを特徴とする無線通信システム。
【発明の詳細な説明】
【技術分野】
【０００１】
本発明は、マクロセル内にマイクロセルが設けられる無線通信システムにおけるユーザ端末、無線基地局及び無線通信方法に関する。
【背景技術】
【０００２】
ＵＭＴＳ（Universal  Mobile  Telecommunications  System）方式の後継となるＬＴＥ（Long  Term  Evolution）方式を用いた無線通信システム（以下、ＬＴＥシステムという）が、標準化団体３ＧＰＰによって定められている。現在、３ＧＰＰでは、ＬＴＥ方式の後継となるＬＴＥ−Ａｄｖａｎｃｅｄ方式を用いた無線通信システム（以下、ＬＴＥ−Ａシステムという）も検討されている。
【０００３】
ＬＴＥ−Ａシステムでは、半径数キロメートル程度の広範囲のカバレッジエリアを有するマクロセル内に、半径数十メートル程度の局所的なカバレッジエリアを有するマイクロセル（例えば、ピコセル、フェムトセルなど）が形成されるＨｅｔＮｅｔ（Heterogeneous  network）が検討されている（例えば、非特許文献１）。
【０００４】
かかるＨｅｔＮｅｔでは、システム全体のスループット向上を目的として、ＣＲＥ（Cell  Range  Expansion）を行うことが検討されている。ＣＲＥでは、マイクロセルを形成する無線基地局（以下、マイクロ基地局という）からの受信電力にオフセットを加えることによって、マイクロセルの範囲を拡張する。このため、拡張されたマイクロセル内に位置するユーザ端末は、マクロセルを形成する無線基地局（以下、マクロ基地局）からマイクロ基地局にハンドオーバを行うことができる。
【０００５】
また、かかるＨｅｔＮｅｔでは、ＣＲＥによりマイクロ基地局へのハンドオーバを行ったユーザ端末は、マクロ基地局から大きな干渉を受けることになる。このため、一部のサブフレームにおいてマクロ基地局がデータ送信を停止して、当該ユーザ端末がマクロ基地局から受ける干渉を低減する干渉コーディネーションも検討されている。
【０００６】
図１は、干渉コーディネーションの一例を示す図である。図１に示すように、マクロ基地局がデータ送信を行うサブフレーム（左から１番目及び３番目のサブフレーム）では、当該ユーザ端末におけるマイクロ基地局からの受信電力は、マクロ基地局からの干渉を受けるため、小さくなる。一方、マクロ基地局においてデータ送信を停止するサブフレーム（左から２番目及び４番目のサブフレーム）では、当該ユーザ端末におけるマイクロ基地局からの受信電力は、マクロ基地局からの干渉を受けないため、大きくなる。なお、データ送信を停止するサブフレーム（以下、送信停止サブフレームという）においては、データの送信を完全に停止していなくともよく、当該ユーザ端末への干渉が許容範囲内となる少量のデータを送信してもよい。送信停止サブフレームとしては、例えば、ＭＢＳＦＮ（MBMS(Multimedia  broadcast  and  Multicast  Service)  over  a  Single  Frequency  Network）サブフレームやＡＢＳ（Almost  Blank  Subframe）が用いられる。
【０００７】
ＡＢＳを設定する場合、マクロセル／マイクロセル（ピコセル）でのＵＬ  ＨＡＲＱ（Uplink  Hybrid  ARQ）の周期８ｍｓｅｃを考慮して、図３に示すように、８ｍｓｅｃ周期のＡＢＳを設定することが検討されている（図３のマクロセルの無線フレームにおいて白抜き部分がＡＢＳである）。この場合、マイクロ基地局（ピコ基地局）においては、マクロ基地局でＡＢＳを設定している８ｍｓｅｃでＣＳＩ−ＲＳ（Channel  State  Information−Reference  Signal）を送信する。
【０００８】
このように８ｍｓｅｃでＣＳＩ−ＲＳを送信すると、周期１０ｍｓｅｃであるページングサブフレーム（ページングでシステムの変更等を通知するサブフレーム）（無線フレームにおけるサブフレーム＃０，＃４，＃５，＃９の少なくとも一つのサブフレーム）と、ＣＳＩ−ＲＳを含むサブフレームとが重なってしまい、そのまま送信すると両者が衝突することになる。なお、図３においては、サブフレーム＃０，＃４で衝突の可能性がある。
【０００９】
ページングは、着信やシステムの変更等を通知するもので高い品質が要求される。このため、ページングサブフレームとＣＳＩ−ＲＳサブフレームとが重なる可能性のあるサブフレームすべて（サブフレーム＃０，＃４，＃５，＃９）でピコ基地局がＣＳＩ−ＲＳを送信しないことが提案されている。
【先行技術文献】
【非特許文献】
【００１０】
【非特許文献１】３ＧＰＰ，ＴＳ３６．３００
【非特許文献２】３ＧＰＰ，ＴＳＧ−ＲＡＮ  ＷＧ１  Ｍｅｅｔｉｎｇ＃６２ｂｉｓ  “Remaining  aspects  of  CSI-RS  parameters  and  signaling”
【発明の概要】
【発明が解決しようとする課題】
【００１１】
しかしながら、ページングは、常にサブフレーム＃０，＃４，＃５，＃９で送信されるわけではなく、サブフレーム＃０，＃４，＃５，＃９の一部のサブフレームでのみ送信されることもある。したがって、サブフレーム＃０，＃４，＃５，＃９の一部のサブフレームでのみページングを送信しているときに、サブフレーム＃０，＃４，＃５，＃９でＣＳＩ−ＲＳを送信しないことは、有効にＣＳＩ−ＲＳを送信することにならず、効率良くＵＬ  ＨＡＲＱを行うことができない。
【００１２】
本発明は、かかる点に鑑みてなされたものであり、ＨｅｔＮｅｔにおいて、ユーザ端末に高い品質でページングを送信すると共に、有効にＣＳＩ−ＲＳを送信して、効率良くＵＬ  ＨＡＲＱを行うことができるユーザ端末、無線基地局及び無線通信方法を提供することを目的とする。
【課題を解決するための手段】
【００１３】
本発明のユーザ端末は、所定周期のＣＳＩ−ＲＳサブフレームで送信されるＣＳＩ−ＲＳ（Channel  State  Information−Reference  Signal）及び少なくとも一つのページングサブフレームで送信されるページングを受信するユーザ端末であって、前記ページングサブフレームのうちどのサブフレームで前記ページングが送信されるかを示すシステム情報を受信する受信手段と、前記ＣＳＩ−ＲＳサブフレームと前記ページングサブフレームのタイミングが合った場合において、前記システム情報に基づいて、ＣＳＩ−ＲＳを測定するＣＳＩ−ＲＳサブフレームを決定するサブフレーム決定手段と、を具備することを特徴とする。
【００１４】
本発明の無線通信システムは、ユーザ端末が、所定周期のＣＳＩ−ＲＳサブフレームで送信されるＣＳＩ−ＲＳ（Channel  State  Information−Reference  Signal）及び少なくとも一つのページングサブフレームで送信されるページングを受信する無線通信システムであって、前記ページングサブフレームのうちどのサブフレームで前記ページングが送信されるかを示すシステム情報を受信する受信手段と、前記ＣＳＩ−ＲＳサブフレームと前記ページングサブフレームのタイミングが合った場合において、前記システム情報に基づいて、ＣＳＩ−ＲＳを測定するＣＳＩ−ＲＳサブフレームを決定するサブフレーム決定手段と、を具備することを特徴とする。
【００１６】
本発明の無線通信方法は、所定周期のＣＳＩ−ＲＳサブフレームで送信されるＣＳＩ−ＲＳ（Channel  State  Information−Reference  Signal）及び少なくとも一つのページングサブフレームで送信されるページングを受信するユーザ端末における無線通信方法であって、前記ページングサブフレームのうちどのサブフレームで前記ページングが送信されるかを示すシステム情報を受信する工程と、前記ＣＳＩ−ＲＳサブフレームと前記ページングサブフレームのタイミングが合った場合に、前記システム情報に基づいて、ＣＳＩ−ＲＳを測定するＣＳＩ−ＲＳサブフレームを決定する工程と、を具備することを特徴とする。
【００１７】
また、本発明の無線通信方法は、マクロ基地局によって形成されるマクロセル内に配置され、該マクロセルよりも小さいマイクロセルを形成するマイクロ基地局から、ＣＳＩ−ＲＳ（Channel  State  Information−Reference  Signal）を含むＣＳＩ−ＲＳサブフレーム及びシステム情報の変更を示す変更通知情報を含むページングサブフレームを有する信号、並びに前記ＣＳＩ−ＲＳサブフレームと前記ページングサブフレームのタイミングが合った場合にＣＳＩ−ＲＳを測定しないことを示す制御信号をユーザ端末に送信する工程と、前記ユーザ端末において、ＣＳＩ−ＲＳサブフレームとページングサブフレームのタイミングが合った場合において、前記制御信号に基づいて、ＣＳＩ−ＲＳを測定するＣＳＩ−ＲＳサブフレームを決定する工程と、を具備することを特徴とする。
【発明の効果】
【００１８】
本発明によれば、ＨｅｔＮｅｔにおいて、ページングが送信されるサブフレームに応じて、すなわち、ページングが送信されるサブフレームのみを避けてＣＳＩ−ＲＳを送信するので、ユーザ端末に高い品質でページングを送信すると共に、有効にＣＳＩ−ＲＳを送信して、効率良くＵＬ  ＨＡＲＱを行うことができる。
【図面の簡単な説明】
【００１９】
【図１】干渉コーディネーションの一例を示す図である。
【図２】本発明に係る通知方法が適用される無線通信システムの概略構成図である。
【図３】ＡＢＳパターンの一例を示す図である。
【図４】本発明の実施の形態１に係る無線通信方法を説明するための図である。
【図５】本発明の実施の形態１に係る無線通信方法を説明するための図である。
【図６】本発明の実施の形態２に係る無線通信方法を説明するための図である。
【図７】本発明の実施の形態２に係る無線通信方法を説明するための図である。
【図８】本発明の実施の形態１に係るピコ基地局の機能構成図である。
【図９】本発明の実施の形態１に係るユーザ端末の機能構成図である。
【図１０】本発明の実施の形態２に係るピコ基地局の機能構成図である。
【図１１】本発明の実施の形態２に係るユーザ端末の機能構成図である。
【発明を実施するための形態】
【００２０】
以下では、マイクロセルとして、ピコセルを用いる例を説明するが、これに限られるものではなく、例えば、フェムトセルやリレーノードによって形成されるセルなどであってもよい。また、非送信サブフレームとして、ＡＢＳを用いる例を説明するが、これに限られるものではなく、例えば、ＭＢＳＦＮサブフレームなどであってもよい。
【００２１】
図２は、本発明に係る無線通信システムの概略構成図である。図２に示すように、本発明に係る無線通信システムは、マクロセルＭＣを形成する無線基地局（以下、マクロ基地局という）ＭｅＮＢ（Macro  evolved  NodeB）と、ピコセルＰＣを形成する無線基地局（以下、ピコ基地局という）ＰｅＮＢ（Pico  evolved  NodeB）と、ユーザ端末ＵＥ（User  Equipment）とを含む。
【００２２】
図２に示すように、マクロ基地局ＭｅＮＢとピコ基地局ＰｅＮＢとは、有線のＸ２インタフェースを介して接続されている。また、マクロ基地局ＭｅＮＢとピコ基地局ＰｅＮＢとは、それぞれ、コアネットワーク（不図示）に接続されている。また、マクロ基地局ＭｅＮＢとピコ基地局ＰｅＮＢとは、少なくとも一部の無線周波数帯を共用している。
【００２３】
図２に示す無線通信システムでは、ユーザ端末ＵＥは、ピコセルＰＣ内に位置する場合、マクロ基地局ＭｅＮＢの受信電力よりもピコ基地局ＰｅＮＢからの受信電力が大きくなるため、ピコ基地局ＰｅＮＢに接続する。一方、ユーザ端末ＵＥが、ピコセルＰＣ外に位置する場合、ピコ基地局ＰｅＮＢからの受信電力よりもマクロ基地局ＭｅＮＢの受信電力が大きくなるため、マクロ基地局ＭｅＮＢに接続する。
【００２４】
また、図２に示す無線通信システムでは、ＣＲＥ（Cell  Range  Expansion）が行なわれる。ＣＲＥでは、ユーザ端末ＵＥは、ピコ基地局ＰｅＮＢからの受信電力にオフセットを加えるので、ピコセルＰＣ外であっても拡張されたピコセルＰＣ’内に位置する場合は、マクロ基地局ＭｅＮＢの受信電力よりもピコ基地局ＰｅＮＢからの受信電力（オフセットが加えられたもの）が大きくなる。したがって、ユーザ端末ＵＥは、ピコセルＰＣ外であっても拡張されたピコセルＰＣ’内に位置する場合、ピコ基地局ＰｅＮＢに接続でき、マクロ基地局ＭｅＮＢからピコ基地局ＰｅＮＢへのハンドオーバすることもできる。以下、ピコ基地局ＰｅＮＢに接続するユーザ端末ＵＥをピコ端末ＵＥと称し、マクロ基地局ＭｅＮＢに接続するユーザ端末ＵＥをマクロ端末ＵＥと称するが、その構成は同一である。
【００２５】
上記のようなＨｅｔＮｅｔの無線通信システムにおいて、上述したように、周期１０ｍｓｅｃのページングサブフレームと、周期８ｍｓｅｃのＣＳＩ−ＲＳサブフレームとが重なってしまい、そのまま送信すると両者が衝突することが考えられる。この場合において、ページングは、サブフレーム＃０，＃４，＃５，＃９で送信されるが、常にサブフレーム＃０，＃４，＃５，＃９で送信されるわけではなく、サブフレーム＃０，＃４，＃５，＃９の一部のサブフレームでのみ送信されることもある。この場合、どのサブフレームでページングが送信されるかの情報は、報知信号に含まれている。したがって、サブフレーム＃０，＃４，＃５，＃９の一部のサブフレームでのみページングを送信しているときに、サブフレーム＃０，＃４，＃５，＃９でＣＳＩ−ＲＳを送信しないことは、有効にＣＳＩ−ＲＳを送信することにならず、効率良くＵＬ  ＨＡＲＱを行うことができない。
【００２６】
本発明者らは、この点に着目し、ページングが送信されるサブフレームのみを避けてＣＳＩ−ＲＳを送信することにより、ユーザ端末に高い品質でページングを送信すると共に、有効にＣＳＩ−ＲＳを送信して、効率良くＵＬ  ＨＡＲＱを行うことができることを見出し、本発明をするに至った。
【００２７】
本発明の第１の態様においては、ユーザ端末ＵＥがページングに含まれるシステム情報に応じて、どのページングサブフレームでＣＳＩ−ＲＳを測定するかを決定する。
ページングがどこのサブフレームで送られているかについては、ユーザ端末ＵＥは報知チャネル信号（System  information）で分かる。したがって、ユーザ端末ＵＥが、報知チャネル信号からどのサブフレームでページングが送信されているかを認識して、あるＣＳＩ−ＲＳサブフレーム（ＣＳＩ−ＲＳを含むサブフレーム）と、ページングサブフレーム（ページングを含むサブフレーム）のタイミングが重なった場合に、どのサブフレームでＣＳＩ−ＲＳを測定するかを決定する。例えば、重なったサブフレームではＣＳＩ−ＲＳを測定しない。この場合、通常ピコ基地局もそのサブフレームではＣＳＩ−ＲＳを送っていない。
【００２８】
すなわち、本発明の第１の態様においては、ピコ基地局がユーザ端末に、ＣＳＩ−ＲＳを含むＣＳＩ−ＲＳサブフレーム及びシステム情報の変更を示す変更通知情報を含むページングサブフレームを有する信号を送信し、ユーザ端末において、ＣＳＩ−ＲＳサブフレームとページングサブフレームのタイミングが合った場合において、変更通知情報に基づいて、ＣＳＩ−ＲＳを測定するＣＳＩ−ＲＳサブフレームを決定する。
【００２９】
本発明の第１の態様において、ページングを行っていたサブフレームでのページングを停止する場合、ユーザ端末において、特定のページングサブフレームでページングを行わない旨の変更通知情報に基づいて、特定のページングサブフレームを、ＣＳＩ−ＲＳを測定するＣＳＩ−ＲＳサブフレームと決定する。
【００３０】
この方法は、具体的には、図４に示すような手順となる。ここでは、サブフレーム＃４，＃９でページングを行っており、このサブフレームがＣＳＩ−ＲＳサブフレームと重なる可能性があるとする。まず、ユーザ端末ＵＥは、サブフレーム＃４，＃９でページングが行われているので、ＣＳＩ−ＲＳを測定しない（図４（ａ））。このとき、サブフレーム＃４，＃９でページングが行われていることは、報知チャネル信号で認識する。
【００３１】
ピコ基地局側（ネットワーク側）でサブフレーム＃４でのページングを停止し、その旨の変更通知をユーザ端末ＵＥが受信すると、ユーザ端末ＵＥは、サブフレーム＃４でＣＳＩ−ＲＳを測定することを決定する（サブフレーム＃４をＣＳＩ−ＲＳを測定するＣＳＩ−ＲＳサブフレームと決定する）（図４（ｂ））。
【００３２】
その後、ピコ基地局側（ネットワーク側）でサブフレーム＃４でＣＳＩ−ＲＳを送信し始めると、ユーザ端末ＵＥは、サブフレーム＃４でＣＳＩ−ＲＳを測定する（図４（ｃ））。
【００３３】
本発明の第１の態様において、ページングを行っていないサブフレームでページングを開始する場合、ユーザ端末において、特定のページングサブフレームでページングを行う旨の変更通知情報に基づいて、特定のページングサブフレームを、ＣＳＩ−ＲＳを測定するＣＳＩ−ＲＳサブフレームとしない決定をする。
【００３４】
この方法は、具体的には、図５に示すような手順となる。ここでは、サブフレーム＃４，＃９でページングを行っており、このサブフレームがＣＳＩ−ＲＳサブフレームと重なる可能性があるとする。まず、ユーザ端末ＵＥは、サブフレーム＃４ではページングが行われていないので、ＣＳＩ−ＲＳを測定する（図５（ａ））。このとき、サブフレーム＃９ではページングが行われているので、ＣＳＩ−ＲＳを測定しない。サブフレーム＃９でページングが行われていることは、報知チャネル信号で認識する。
【００３５】
ピコ基地局側（ネットワーク側）でサブフレーム＃４のＣＳＩ−ＲＳの送信を停止する。このとき、ユーザ端末ＵＥは、サブフレーム＃４のＣＳＩ−ＲＳを測定する（図５（ｂ））。
【００３６】
次いで、ピコ基地局側（ネットワーク側）でサブフレーム＃４でのページングを開始し、その旨の変更通知をユーザ端末ＵＥが受信すると、ユーザ端末ＵＥは、サブフレーム＃４，＃９でＣＳＩ−ＲＳを測定しないことを決定する（サブフレーム＃４，＃９をＣＳＩ−ＲＳを測定しないＣＳＩ−ＲＳサブフレームと決定する）（図５（ｃ））。
【００３７】
本発明の第２の態様においては、ピコ基地局側（ネットワーク側）がどのページングサブフレームでＣＳＩ−ＲＳを測定するかを決定してユーザ端末に通知する。すなわち、ピコ基地局は、サブフレーム＃０，＃４，＃５，＃９のうち、ページングを行うサブフレームを認識できているので、そのページングを行うサブフレームを避けることを報知情報としてユーザ端末に通知する。
【００３８】
すなわち、本発明の第２の態様においては、ピコ基地局がユーザ端末に、ＣＳＩ−ＲＳを含むＣＳＩ−ＲＳサブフレーム及びシステム情報の変更を示す変更通知情報を含むページングサブフレームを含む信号、並びにＣＳＩ−ＲＳサブフレームとページングサブフレームのタイミングが合った場合にＣＳＩ−ＲＳを測定しないことを示す制御信号を送信し、ユーザ端末において、ＣＳＩ−ＲＳサブフレームとページングサブフレームのタイミングが合った場合において、制御信号に基づいて、ＣＳＩ−ＲＳを測定するＣＳＩ−ＲＳサブフレームを決定する。
【００３９】
本発明の第２の態様において、ページングを行っていたサブフレームでのページングを停止する場合、ユーザ端末において、特定のページングサブフレームでＣＳＩ−ＲＳを測定しても良い旨の制御信号により、特定のページングサブフレームを、ＣＳＩ−ＲＳを測定するＣＳＩ−ＲＳサブフレームと決定する。ここでは、制御信号が報知チャネル信号（報知情報）である場合について説明する。
【００４０】
この方法は、具体的には、図６に示すような手順となる。ここでは、サブフレーム＃４，＃９でページングを行っており、このサブフレームがＣＳＩ−ＲＳサブフレームと重なる可能性があるとする。まず、ユーザ端末ＵＥは、サブフレーム＃４，＃９でページングが行われているので、ＣＳＩ−ＲＳを測定しない（図６（ａ））。このとき、サブフレーム＃４，＃９でページングが行われていることは、報知チャネル信号で認識する。
【００４１】
ピコ基地局側（ネットワーク側）でサブフレーム＃４でのページングを停止し、その旨の変更通知をユーザ端末ＵＥが受信する。このとき、ユーザ端末ＵＥは、まだ、ＣＳＩ−ＲＳを測定しない（図６（ｂ））。
【００４２】
その後、ピコ基地局側（ネットワーク側）でサブフレーム＃４でＣＳＩ−ＲＳを送信し始める。このときも、まだ、ユーザ端末ＵＥは、ＣＳＩ−ＲＳを測定しない（図６（ｃ））。そして、ピコ基地局側（ネットワーク側）から、サブフレーム＃４でＣＳＩ−ＲＳを測定しても良い旨の報知情報を受けると、システム情報を変更した後に、ユーザ端末ＵＥは、サブフレーム＃４でＣＳＩ−ＲＳを測定する（図６（ｄ））。
【００４３】
本発明の第２の態様において、ページングを行っていないサブフレームでページングを開始する場合、ユーザ端末において、特定のページングサブフレームでＣＳＩ−ＲＳを測定しない良い旨の報知情報（サブフレーム＃４でページングを行わない旨）により、特定のページングサブフレームを、ＣＳＩ−ＲＳを測定するＣＳＩ−ＲＳサブフレームとしない決定をする。
【００４４】
この方法は、具体的には、図７に示すような手順となる。ここでは、サブフレーム＃４，＃９でページングを行っており、このサブフレームがＣＳＩ−ＲＳサブフレームと重なる可能性があるとする。まず、ユーザ端末ＵＥは、サブフレーム＃４ではページングが行われていないので、ＣＳＩ−ＲＳを測定する（図７（ａ））。このとき、サブフレーム＃９ではページングが行われているので、ＣＳＩ−ＲＳを測定しない。サブフレーム＃９でページングが行われていることは、報知チャネル信号で認識する。
【００４５】
次いで、ピコ基地局側（ネットワーク側）から、サブフレーム＃４でＣＳＩ−ＲＳを測定しない旨（サブフレーム＃４でページングを行う旨）の報知情報を受けると、システム情報を変更した後に、ユーザ端末ＵＥは、サブフレーム＃４，＃９でＣＳＩ−ＲＳを測定しないことを決定する（サブフレーム＃４をＣＳＩ−ＲＳを測定しないＣＳＩ−ＲＳサブフレームと決定する）（図７（ｂ））。
【００４６】
次いで、ピコ基地局側（ネットワーク側）でサブフレーム＃４のＣＳＩ−ＲＳの送信を停止する。このとき、ユーザ端末ＵＥは、サブフレーム＃４，＃９のＣＳＩ−ＲＳを測定しない（図７（ｃ））。
【００４７】
その後、ピコ基地局側（ネットワーク側）でサブフレーム＃４でのページングを開始し、その旨の変更通知をユーザ端末ＵＥが受信すると、ユーザ端末ＵＥは、システム情報を変更した後に、サブフレーム＃４，＃９でページングを受ける。また、ユーザ端末ＵＥは、サブフレーム＃４，＃９のＣＳＩ−ＲＳを測定しない（図７（ｄ））。
【００４８】
このように、上記第１の態様及び第２の態様によれば、ＨｅｔＮｅｔにおいて、ページングが送信されるサブフレームに応じて、すなわち、ページングが送信されるサブフレームのみを避けてＣＳＩ−ＲＳを送信するので、ユーザ端末に高い品質でページングを送信すると共に、有効にＣＳＩ−ＲＳを送信して、効率良くＵＬ  ＨＡＲＱを行うことができる。
【００４９】
以下、本発明の実施の形態について、添付図面を参照して詳細に説明する。
【００５０】
（実施の形態１）
本実施の形態においては、ユーザ端末ＵＥがページングに含まれるシステム情報に応じて、どのページングサブフレームでＣＳＩ−ＲＳを測定するかを決定する場合（第１の態様）について説明する。
【００５１】
本発明の実施の形態１に係る無線通信システムの概略構成は、図２に示す構成と同様である。図２に示す各装置（すなわち、マクロ基地局ＭｅＮＢ、ピコ基地局ＰｅＮＢ、ピコ端末ＵＥ）は、アンテナ、通信インタフェース、プロセッサ、メモリ、送受信回路などを含むハードウェアを有しており、メモリには、プロセッサによって実行されるソフトウェアモジュールが記憶されている。なお、後述する各装置の機能構成は、上述のハードウェアによって実現されてもよいし、プロセッサによって実行されるソフトウェアモジュールによって実現されてもよいし、両者の組み合わせによって実現されてもよい。
【００５２】
図８は、本発明の実施の形態１に係るピコ基地局の機能構成図である。図８に示すように、ピコ基地局ＰｅＮＢは、Ｘ２インタフェース部２０１（受信部）と、システム情報変更制御部２０２と、ＣＳＩ−ＲＳ挿入制御部２０３と、送受信部２０４とを具備する。
【００５３】
Ｘ２インタフェース部２０１は、マクロ基地局ＭｅＮＢとＸ２インタフェースを介して信号を送受信する。
【００５４】
システム情報変更制御部２０２は、通信状況に応じて、ページングを行うサブフレームを決定し（ページングサブフレームの決定）、ページングを行うサブフレームが変更した場合に、どのサブフレームでページングを行うかの変更通知情報を生成する。システム情報変更制御部２０２は、変更通知情報を送受信部２０４に出力する。
【００５５】
ＣＳＩ−ＲＳ挿入制御部２０３は、ＣＳＩ−ＲＳを生成し、ＣＳＩ−ＲＳをどのサブフレームに挿入するかを決定する（ＣＳＩ−ＲＳサブフレームの決定）。ＣＳＩ−ＲＳ挿入制御部２０３は、ＣＳＩ−ＲＳ挿入制御部２０３は、ＣＳＩ−ＲＳを送受信部２０４に出力する。
【００５６】
送受信部２０４は、ピコ端末（ユーザ端末）ＵＥと無線信号を送受信する。具体的には、送受信部２０４は、ＣＳＩ−ＲＳ、変更通知情報、及びその他のデータに対して所定の送信処理を施して送信信号にして、この送信信号をピコ端末ＵＥに送信する。
【００５７】
図９は、本発明の実施の形態１に係るピコ端末の機能構成図である。図９に示すように、ピコ端末ＵＥは、送受信部３０１（受信部）と、測定部３０２と、サブフレーム決定部３０３と、を具備する、
【００５８】
送受信部３０１は、ピコ基地局ＰｅＮＢと無線信号を送受信する。具体的には、送受信部３０１は、ピコ基地局ＰｅＮＢから送信された信号、具体的には、ＣＳＩ−ＲＳを含むサブフレームを含む信号及びページングサブフレームを含む信号を有する信号を受信する。また、送受信部３０１は、システム情報の変更（ページングサブフレームの変更等）を示す変更通知情報を受信する。
【００５９】
測定部３０２は、送受信部３０１で受信したＣＳＩ−ＲＳを用いてチャネル品質を測定する。測定部３０２は、サブフレーム決定部３０３から出力されたサブフレーム決定情報（どのサブフレームでＣＳＩ−ＲＳを測定するかの情報、あるいは、どのサブフレームのＣＳＩ−ＲＳを測定しないかの情報）に基づいて、ＣＳＩ−ＲＳを用いてチャネル品質を測定する。
【００６０】
サブフレーム決定部３０３は、送受信部３０１で受信した変更通知情報に基づいて、ＣＳＩ−ＲＳを測定するサブフレーム、あるいは、ＣＳＩ−ＲＳを測定しないサブフレームを決定し、その情報（サブフレーム決定情報）を測定部３０２に出力する。サブフレーム決定部３０３は、変更通知情報に含まれる、ページングが停止されるサブフレームについてＣＳＩ−ＲＳを測定することを決定する（ページングが停止されるサブフレームをＣＳＩ−ＲＳを測定するサブフレームに決定する）。あるいは、サブフレーム決定部３０３は、変更通知情報に含まれる、ページングが開始されるサブフレームについてＣＳＩ−ＲＳを測定しないことを決定する（ページングが開始されるサブフレームをＣＳＩ−ＲＳを測定しないサブフレームに決定する）。
【００６１】
上記構成を有する無線通信システムにおいては、まず、ピコ基地局ＰｅＮＢから、ＣＳＩ−ＲＳを含むＣＳＩ−ＲＳサブフレーム及びシステム情報の変更を示す変更通知情報を含むページングサブフレームを有する信号がユーザ端末ＵＥに送信される。ユーザ端末ＵＥにおいて、ＣＳＩ−ＲＳサブフレームとページングサブフレームのタイミングが合った場合に、変更通知情報に基づいて、ＣＳＩ−ＲＳを測定するＣＳＩ−ＲＳサブフレームを決定する。
【００６２】
例えば、ピコ基地局側（ネットワーク側）でページングを行っていたサブフレームでのページングを停止する場合、その旨の変更通知情報をシステム情報変更制御部２０２で生成し、その変更通知情報をページングでユーザ端末ＵＥに送信する。ユーザ端末においては、受信した変更通知情報に基づいてサブフレーム決定部３０３で、ページングを停止したサブフレームでＣＳＩ−ＲＳを測定することを決定する。そして、測定部３０２において、ページングを停止したサブフレームでＣＳＩ−ＲＳを測定する。
【００６３】
また、ピコ基地局側（ネットワーク側）でページングを行っていたサブフレームでのページングを開始する場合、その旨の変更通知情報をシステム情報変更制御部２０２で生成し、その変更通知情報をページングでユーザ端末ＵＥに送信する。ユーザ端末においては、受信した変更通知情報に基づいてサブフレーム決定部３０３で、ページングを開始したサブフレームでＣＳＩ−ＲＳを測定しないことを決定する。そして、測定部３０２において、ページングを開始したサブフレームでＣＳＩ−ＲＳを測定しない。
【００６４】
（実施の形態２）
本実施の形態においては、ピコ基地局側（ネットワーク側）がどのページングサブフレームでＣＳＩ−ＲＳを測定するかを決定してユーザ端末に通知する場合について説明する。
【００６５】
本発明の実施の形態２に係る無線通信システムの概略構成は、図２に示す構成と同様である。図２に示す各装置（すなわち、マクロ基地局ＭｅＮＢ、ピコ基地局ＰｅＮＢ、ピコ端末ＵＥ）は、アンテナ、通信インタフェース、プロセッサ、メモリ、送受信回路などを含むハードウェアを有しており、メモリには、プロセッサによって実行されるソフトウェアモジュールが記憶されている。なお、後述する各装置の機能構成は、上述のハードウェアによって実現されてもよいし、プロセッサによって実行されるソフトウェアモジュールによって実現されてもよいし、両者の組み合わせによって実現されてもよい。
【００６６】
図１０は、本発明の実施の形態２に係るピコ基地局の機能構成図である。図１０に示すように、ピコ基地局ＰｅＮＢは、Ｘ２インタフェース部２０１（受信部）と、システム情報変更制御部２０２と、ＣＳＩ−ＲＳ挿入制御部２０３と、送受信部２０４と、制御信号生成部２０５とを具備する。
【００６７】
Ｘ２インタフェース部２０１は、マクロ基地局ＭｅＮＢとＸ２インタフェースを介して信号を送受信する。
【００６８】
システム情報変更制御部２０２は、通信状況に応じて、ページングを行うサブフレームを決定し（ページングサブフレームの決定）、ページングを行うサブフレームが変更した場合に、どのサブフレームでページングを行うかの変更通知情報を生成する。システム情報変更制御部２０２は、変更通知情報を送受信部２０４に出力する。
【００６９】
ＣＳＩ−ＲＳ挿入制御部２０３は、ＣＳＩ−ＲＳを生成し、ＣＳＩ−ＲＳをどのサブフレームに挿入するかを決定する（ＣＳＩ−ＲＳサブフレームの決定）。ＣＳＩ−ＲＳ挿入制御部２０３は、ＣＳＩ−ＲＳ挿入制御部２０３は、ＣＳＩ−ＲＳを送受信部２０４に出力する。
【００７０】
制御信号生成部２０５は、ＣＳＩ−ＲＳサブフレームとページングサブフレームのタイミングが合った場合にＣＳＩ−ＲＳを測定しないことを示す制御信号を生成し、制御信号を送受信部２０４に出力する。この制御信号は、特定のページングサブフレームでＣＳＩ−ＲＳを測定しても良い旨の制御信号、又は特定のページングサブフレームでＣＳＩ−ＲＳを測定しない良い旨の制御信号である。なお、この制御信号は、報知チャネル信号又は個別ユーザチャネル信号（いわゆるＬａｙｅｒ３の信号）である。
【００７１】
送受信部２０４は、ピコ端末（ユーザ端末）ＵＥと無線信号を送受信する。具体的には、送受信部２０４は、ＣＳＩ−ＲＳ、変更通知情報、その他のデータ、及び制御信号に対して所定の送信処理を施して送信信号にして、この送信信号をピコ端末ＵＥに送信する。
【００７２】
図１１は、本発明の実施の形態２に係るピコ端末の機能構成図である。図１１に示すように、ピコ端末ＵＥは、送受信部３０１（受信部）と、測定部３０２と、サブフレーム決定部３０３と、を具備する、
【００７３】
送受信部３０１は、ピコ基地局ＰｅＮＢと無線信号を送受信する。具体的には、送受信部３０１は、ピコ基地局ＰｅＮＢから送信された信号、具体的には、ＣＳＩ−ＲＳを含むサブフレームを含む信号及びページングサブフレームを含む信号を有する信号並びに制御信号を受信する。また、送受信部３０１は、システム情報の変更（ページングサブフレームの変更等）を示す変更通知情報を受信する。
【００７４】
測定部３０２は、送受信部３０１で受信したＣＳＩ−ＲＳを用いてチャネル品質を測定する。測定部３０２は、サブフレーム決定部３０３から出力されたサブフレーム決定情報（どのサブフレームでＣＳＩ−ＲＳを測定するかの情報、あるいは、どのサブフレームのＣＳＩ−ＲＳを測定しないかの情報）に基づいて、ＣＳＩ−ＲＳを用いてチャネル品質を測定する。
【００７５】
サブフレーム決定部３０３は、送受信部３０１で受信した変更通知情報及び制御信号に基づいて、ＣＳＩ−ＲＳを測定するサブフレーム、あるいは、ＣＳＩ−ＲＳを測定しないサブフレームを決定し、その情報（サブフレーム決定情報）を測定部３０２に出力する。サブフレーム決定部３０３は、制御信号に応じてＣＳＩ−ＲＳを測定するあるいは測定しないサブフレームを決定する。例えば、制御信号が、特定のページングサブフレームでＣＳＩ−ＲＳを測定しても良い旨の制御信号である場合には、その特定のページングサブフレームを、ＣＳＩ−ＲＳを測定するサブフレームに決定する。また、制御信号が、特定のページングサブフレームでＣＳＩ−ＲＳを測定しない旨の制御信号である場合には、その特定のページングサブフレームを、ＣＳＩ−ＲＳを測定しないサブフレームに決定する。
【００７６】
上記構成を有する無線通信システムにおいては、まず、ピコ基地局ＰｅＮＢから、ＣＳＩ−ＲＳを含むＣＳＩ−ＲＳサブフレーム及びシステム情報の変更を示す変更通知情報を含むページングサブフレームを有する信号並びに制御信号がユーザ端末ＵＥに送信される。ユーザ端末ＵＥにおいて、ＣＳＩ−ＲＳサブフレームとページングサブフレームのタイミングが合った場合に、制御信号に基づいて、ＣＳＩ−ＲＳを測定するＣＳＩ−ＲＳサブフレームを決定する。
【００７７】
例えば、ピコ基地局側（ネットワーク側）でページングを行っていたサブフレームでのページングを停止する場合、その旨の変更通知情報をシステム情報変更制御部２０２で生成し、その変更通知情報をページングでユーザ端末ＵＥに送信する。また、ピコ基地局側（ネットワーク側）で、どのサブフレーム（ページングを停止したサブフレーム）でＣＳＩ−ＲＳを測定して良い旨の制御信号をユーザ端末ＵＥに送信する。ユーザ端末においては、受信した制御信号に基づいてサブフレーム決定部３０３で、ページングを停止したサブフレームでＣＳＩ−ＲＳを測定することを決定する。そして、測定部３０２において、ページングを停止したサブフレームでＣＳＩ−ＲＳを測定する。
【００７８】
また、ピコ基地局側（ネットワーク側）でページングを行っていたサブフレームでのページングを開始する場合、その旨の変更通知情報をシステム情報変更制御部２０２で生成し、その変更通知情報をページングでユーザ端末ＵＥに送信する。また、ピコ基地局側（ネットワーク側）で、どのサブフレーム（ページングを開始したサブフレーム）でＣＳＩ−ＲＳを測定しない旨の制御信号をユーザ端末ＵＥに送信する。ユーザ端末においては、受信した制御信号に基づいてサブフレーム決定部３０３で、ページングを開始したサブフレームでＣＳＩ−ＲＳを測定しないことを決定する。そして、測定部３０２において、ページングを開始したサブフレームでＣＳＩ−ＲＳを測定しない。
【００７９】
上述の実施の形態を用いて本発明について詳細に説明したが、当業者にとっては、本発明が本明細書中に説明した実施形態に限定されるものではないということは明らかである。例えば、ピコ基地局ＰｅＮＢは、フェムトセルを形成するフェムト基地局（Home  eNodeB）や、リレー局（Relay  node）であってもよい。リレー局の場合、リレー局は、マクロ基地局ＭｅＮＢと無線リンク（バックホールリンク）で接続される。
【００８０】
本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。例えば、上記実施の形態１，２において、サブフレーム番号は例示であり、他のサブフレーム番号を用いても本発明を制限しない。
【符号の説明】
【００８１】
ＭｅＮＢ  マクロ基地局
ＰｅＮＢ  ピコ基地局
ＵＥ  ユーザ端末
２０１  Ｘ２インタフェース部
２０２  システム情報変更通知部
２０３  ＣＳＩ−ＲＳ挿入制御部
２０４，３０１  送受信部
２０５  制御信号生成部
３０２  測定部
３０３  サブフレーム決定部
【図１】
0005432110.tif 000002
【図２】
0005432110.tif 000003
【図３】
0005432110.tif 000004
【図４】
0005432110.tif 000005
【図５】
0005432110.tif 000006
【図６】
0005432110.tif 000007
【図７】
0005432110.tif 000008
【図８】
0005432110.tif 000009
【図９】
0005432110.tif 000010
【図１０】
0005432110.tif 000011
【図１１】
0005432110.tif 000012